(57)【要約】【課題】断面形状が長手方向に亙って等しい長尺なワークの表面に付着している水を容易かつ確実に除去できる水切装置およびこれを備えた押出成形装置を提供する。【解決手段】ワークＷの断面形状に、該ワークＷの長手方向に摺動可能に嵌合する断面形状の嵌合部５を有する水切器２を備え、嵌合部５のワークＷの長手方向における両端部は、前記水切器５の表面に開口し、水切器２に、嵌合部５のワークＷが摺動する表面に開口する吸引用溝８，１２が形成されるとともに、この吸引用溝８，１２に連通する連通路１７が水切器２の表面に開口して形成され、水切器２の表面に開口する連通路１７の開口部１７ａにバキュームホース３が接続されているので、ワークＷの表面に付着している水は、吸引用溝８，１２、連通路１７、バキュームホース３によって外部に排出され、容易かつ確実に除去される。【選択図】図２
2010046933.tif 000002
【特許請求の範囲】
【請求項１】
断面形状が長手方向に亙って等しい長尺なワークの表面に付着している水を除去する水切装置であって、
前記ワークの断面形状に、該ワークの長手方向に摺動可能に嵌合する断面形状の嵌合部を有する水切器を備え、
前記嵌合部の前記ワークの長手方向における両端部は、前記水切器の表面に開口しており、
前記水切器には、前記嵌合部の前記ワークが摺動する表面に開口する吸引用溝が形成されるとともに、この吸引用溝に連通する連通路が前記水切器の表面に開口して形成されており、
この水切器の表面に開口する前記連通路の開口部にバキュームホースが接続されていることを特徴とする水切装置。
【請求項２】
請求項１に記載の水切装置において、
前記吸引用溝は前記ワークの長手方向と直交する幅方向に延在して形成されていることを特徴とする水切装置。
【請求項３】
請求項１または２に記載の水切装置において、
前記水切器は、第１水切器と、この第１水切器に着脱可能に接合される第２水切器とから構成されており、
前記第１水切器の接合面には前記嵌合部の一部が形成され、前記第２水切器の接合面には前記嵌合部の残りの他部が形成されており、
前記嵌合部の一部と他部のそれぞれに前記吸引用溝が形成されていることを特徴とする水切装置。
【請求項４】
請求項３に記載の水切装置において、
前記連通路は、前記第１水切器に形成された第１連通路と前記第２水切器に形成された第２連通路とから構成されており、
前記第１連通路と第２連通路は、前記第１水切器と第２水切器の接合面で接続されており、前記第１連通路と第２連通路の少なくともいずれか一方が、前記水切器の表面に開口していることを特徴とする水切装置。
【請求項５】
請求項１〜４のいずれか一項に記載の水切装置を押出成形装置に設けてなる水切装置付き押出成形装置であって、
押出し成形を行う押出成形機の下流側に、押出されたワークを冷却する冷却水槽が設けられており、
前記冷却水槽を形成する壁には、前記ワークを前記冷却水槽内に搬入する入口と、搬出する出口とが対向して形成されており、
前記冷却水槽内には、前記水切器が前記出口を形成する壁に密着し、かつ前記嵌合部の一方の開口部が前記出口に配置されて設けられていることを特徴とする水切装置付き押出成形装置。
【発明の詳細な説明】
【技術分野】
【０００１】
本発明は、水切装置および水切装置付き押出成形装置に関する。
【背景技術】
【０００２】
押出成形装置の一例として、特許文献１に記載のものが知られている。この押出成形装置は、押出成形機と、この押出成形機の下流側に設けられた冷却水槽と、この冷却水槽の下流側に設けられた切断装置とを備えている。
前記冷却水槽内には、押出成形機によって押出されたワークの断面形状や寸法を整えるサイザーが設けられている。そして、冷却水槽の入口から搬入されたワークは、冷却水で冷却されながら、サイザーによって断面形状や寸法が整えられたうえで、冷却水槽の出口から搬出される。搬出されたワークは切断装置によって所定の長さに切断される。
【特許文献１】特開２００４−９９１１５号公報
【発明の開示】
【発明が解決しようとする課題】
【０００３】
ところで、冷却水槽の出口から搬出されるワークの表面には、冷却水槽中の水が付着しているので、この水を除去する必要がある。
ワークの表面の水を除去するには、冷却水槽の出口近傍にウエスを出口から搬出されるワークに巻き付けるようにして配置するとともにエアノズルを配置して、前記ウエスによってワーク表面の水を吸収したり、エアノズルから噴出されるエアによって水を吹き飛ばしたりしている。
しかし、ウエスでは、水を完全に吸収することが困難なうえ、ウエスに水分が次第に含まれていくとワーク表面の水を十分に吸収しきれなり、ウエス交換の手間がかかる。
また、エアノズルから噴出されるエアーではワーク表面の水をもれなく吹き飛ばすことは困難であるとともに、エアの無駄が生じ、また、エアの噴出音も騒音となる。
【０００４】
本発明は上記事情に鑑みてなされたもので、断面形状が長手方向に亙って等しい長尺なワークの表面に付着している水を容易かつ確実に除去できる水切装置およびこの水切装置を備えた押出成形装置を提供することを課題としている。
【課題を解決するための手段】
【０００５】
上記課題を解決するために、請求項１に記載の発明は、例えば図１〜図６に示すように、断面形状が長手方向に亙って等しい長尺なワークＷの表面に付着している水を除去する水切装置１であって、
前記ワークＷの断面形状に、該ワークＷの長手方向に摺動可能に嵌合する断面形状の嵌合部５を有する水切器２を備え、
前記嵌合部５の前記ワークＷの長手方向における両端部は、前記水切器５の表面に開口しており、
前記水切器２には、前記嵌合部５の前記ワークＷが摺動する表面に開口する吸引用溝８，１２が形成されるとともに、この吸引用溝８，１２に連通する連通路１７が前記水切器２の表面に開口して形成されており、
この水切器２の表面に開口する前記連通路１７の開口部１７ａにバキュームホース３が接続されていることを特徴とする。
【０００６】
請求項１に記載の発明によれば、水切器２の嵌合部５の入口側の開口部からワークＷをいれて嵌合部５に摺動しながら嵌合させて出口側の開口部から出していくとともに、バキュームホース３によって吸引すると、嵌合部５はワークＷの断面形状に摺動可能に嵌合しており、嵌合部５のワークＷが摺動する表面に吸引用溝８，１２が開口しているので、ワークＷの表面に付着している水は、吸引用溝８，１２から吸引され、さらに連通路１７を通ってバキュームホース３によって外部に排出される。したがって、断面形状が長手方向に亙って等しい長尺なワークＷの表面に付着している水を容易かつ確実に除去できる。
【０００７】
請求項２に記載の発明は、請求項１に記載の水切装置１において、
前記吸引用溝８，１２は前記ワークＷの長手方向と直交する幅方向に延在して形成されていることを特徴とする。
【０００８】
請求項２に記載の発明によれば、吸引用溝８，１２がワークＷの長手方向と直交する幅方向に延在して形成されているので、嵌合部５を摺動するワークＷの表面はすべて吸引用溝８，１２上を通るので、ワークＷの表面に付着している水をより確実に吸引して除去できる。
【０００９】
請求項３に記載の発明は、請求項１または２に記載の水切装置１において、
前記水切器２は、第１水切器６と、この第１水切器６に着脱可能に接合される第２水切器７とから構成されており、
前記第１水切器６の接合面６ａには前記嵌合部５の一部（凹溝５ａ、上面５ｂ）が形成され、前記第２水切器７の接合面７ａには前記嵌合部５の残りの他部（凹所５ｃ）が形成されており、
前記嵌合部５の一部と他部のそれぞれに前記吸引用溝８，１２が形成されていることを特徴とする。
【００１０】
請求項３に記載の発明によれば、水切器２が、嵌合部５の一部が接合面６ａに形成された第１水切器６と、嵌合部５の他部が接合面７ａに形成された第２水切器７とで構成されているので、嵌合部５を水切器２に容易に形成できるとともに、嵌合部５や吸引用溝８，１２に汚れや異物が付着した場合に、第１水切器６から第２水切器７を取り外すことによって、前記汚れや異物を容易に掃除して除去できる。また、嵌合部５の一部と他部のそれぞれに吸引用溝８，１２が形成されているので、嵌合部５を摺動するワークＷの表面に付着している水を両吸引用溝８，１２によって確実に吸引して除去できる。
【００１１】
請求項４に記載の発明は、請求項３に記載の水切装置１において、
前記連通路１７は、前記第１水切器６に形成された第１連通路１０と前記第２水切器７に形成された第２連通路１３とから構成されており、
前記第１連通路１０と第２連通路１３は、前記第１水切器６と第２水切器７の接合面６ａ，７ａで接続されており、前記第１連通路１０と第２連通路１３の少なくともいずれか一方が、前記水切器２の表面に開口していることを特徴とする。
【００１２】
請求項４に記載の発明によれば、第１水切器６に形成された第１連通路１０と、第２水切器７に形成された第２連通路１３とが第１水切器６と第２水切器７の接合面６ａ，７ａで接続されており、第１連通路１０と第２連通路１３の少なくともいずれか一方が、水切器２の表面に開口しているので、この開口部１７ａに接続されたバキュームホース３で吸引することによって、第１連通路１０と第２連通路１３にそれぞれ連通している吸引用溝８，１２によってワークＷの表面の水を吸引して除去できる。
【００１３】
請求項５に記載の発明は、請求項１〜４のいずれか一項に記載の水切装置１を押出成形装置に設けてなる水切装置付き押出成形装置であって、例えば図４〜図６に示すように、
押出し成形を行う押出成形機２１の下流側に、押出されたワークＷを冷却する冷却水槽２３が設けられており、
前記冷却水槽２３を形成する壁２３ｃには、前記ワークＷを前記冷却水槽２３内に搬入する入口２３ａと、搬出する出口２３ｂとが対向して形成されており、
前記冷却水槽２３内には、前記水切器２が前記出口２３ｂを形成する壁２３ｃに密着し、かつ前記嵌合部５の一方の開口部が前記出口２３ｂに配置されて設けられていることを特徴とする。
【００１４】
請求項５に記載の発明によれば、押出成形機２１の下流側に設けられた冷却水槽２３内に、水切器２が冷却水槽２３の出口２３ｂを形成する壁２３ｃに密着し、かつ水切器２の嵌合部５の一方（出口側）の開口部が冷却水槽２３の出口２３ｂに配置されて設けられているので、押出成形機２１から押出されたワークＷは、冷却水槽２３の入口２３ａから入って出口２３ｂに向けて移動していき、さらに、水切器２の嵌合部５の入口側の開口部から嵌合部５に入って、この嵌合部５に摺動しながら嵌合して出口側の開口部から出でいく。この際に、バキュームホース３によって吸引すると、嵌合部５はワークＷの断面形状に摺動可能に嵌合しており、嵌合部５のワークＷが摺動する表面に吸引用溝８，１２が開口しているので、ワークＷの表面に付着している水は、吸引用溝８，１２から吸引され、さらに連通路１７を通ってバキュームホース３によって外部に排出される。したがって、断面形状が長手方向に亙って等しい長尺なワークＷの表面に付着している水を容易かつ確実に除去できる。
【発明の効果】
【００１５】
本発明によれば、水切器に、嵌合部のワークが摺動する表面に開口する吸引用溝が形成されるとともに、この吸引用溝に連通する連通路が水切器の表面に開口して形成されており、この水切器の表面に開口する開口部にバキュームホースが接続されているので、水切器の嵌合部の入口側の開口部からワークを入れて嵌合部に摺動しながら嵌合させて出口側の開口部から出していくとともに、バキュームホースによって吸引することによって、ワークの表面に付着している水は、吸引用溝から吸引され、さらに連通路を通ってバキュームホースによって外部に排出される。したがって、断面形状が長手方向に亙って等しい長尺なワークの表面に付着している水を容易かつ確実に除去できる。
【発明を実施するための最良の形態】
【００１６】
以下、図面を参照して本発明の実施の形態について説明する。
図１は本発明に係る水切装置の水切器を示す斜視図、図２は同分解斜視図、図３は同断面図、図４は本発明に係る水切装置付き押出成形装置を示すもので、その概略構成図、図５は同冷却水槽内に配置された水切器を示す斜視図、図３は同冷却水槽の正面図である。
【００１７】
本実施の形態の水切装置１は、断面形状が長手方向に亙って等しい長尺なワークの表面に付着している水を除去する装置であり、水切器２と、この水切器２に、一端部が接続されたバキュームホース３と、このバキュームホース３の他端部に接続されたバキュームポンプ（図示略）とを備えている。なお、本実施の形態では、図３に示すように、ワークＷは、押出成形によって断面形状が凹形に形成されたものである。
【００１８】
水切器２は、ワークＷの断面形状に、該ワークＷの長手方向に摺動可能に嵌合する断面形状、すなわち断面が凹形の嵌合部５を備えている。水切器２はジュラコン（商品名）等のポリアセタール樹脂で略直方体状に形成されている。そして、嵌合部５は水切器２の一方の側面から他方の側面に向けて空洞状に形成されており、嵌合部５の両端部が両側面に開口している。
また、水切器２の他方の側面には、凸４が形成されている。この凸部４の左右の幅寸法は、前記嵌合部５の左右の幅寸法より長くなっており、この凸部４の先端面に前記嵌合部５の他方の端部が開口している。
【００１９】
水切器２は、第１水切器６と、この第１水切器６に着脱可能に接合される第２水切器７とから構成されている。
第１水切器６と第２水切器７との側面には、前記凸部４を構成する凸部片４ａと凸部片４ｂが形成されており、第１水切器６と第２水切器７とを接合することによって、凸部片４ａ，４ｂが接合されて、前記凸部４が構成されている。
【００２０】
第１水切器６の接合面６ａには、前記嵌合部５の一部が形成されている。すなわち、接合面６ａには、２つの凹溝５ａ，５ａが左右に離間して平行に形成されている。凹溝５ａは第１水切器６の短辺方向に延在して形成されており、その両端部は第１水切器６の両側面にそれぞれ開口している。凹溝５ａは前記嵌合部５の一部である端部の上凸の溝を構成するものである。凹溝５ａ，５ａ間に位置する平坦面５ｂは嵌合部５の一部である上面を構成するものである。
また、第１水切器６の接合面６ａには２つの吸引用溝８，８が前後に離間して平行に形成されている。吸引用溝８は嵌合部５の前記ワークＷが摺動する表面、すなわち前記凹溝５ａの内壁面と平坦面５ｂとに開口している。吸引用溝８は左右（ワークＷの長手方向と直交する幅方向）に延在して形成されており、その両端部は第１水切器６の左右の接合面６ａ，６ａに位置している。
【００２１】
接合面６ａには、第１連通路１０，１０が形成されている。第１連通路は第１水切器６の厚さ方向に貫通する孔であり、その一端部は第１水切器６の上面に開口し、他端部は第１水切器６の下面（接合面６ａ）に開口している。そして、第１連通路１０は吸引用溝８の端部に連通している。
また、第１水切器６の左右の接合面６ａには、ボルト挿通孔１１ａ，１１ａが第１水切器６をその厚さ方向に貫通して形成されている。
【００２２】
前記第２水切器７の接合面７ａには、前記嵌合部５の残りの他部が形成されている。すなわち、接合面７ａには凹所５ｃが形成されている。凹所５ｃは左右の長さが前後の長さより長く形成されており、凹所５ｃの前後の端部は第２水切器７の両側面にそれぞれ開口している。凹所５ｃは前記嵌合部５の他部である底面と側壁面を構成するものであり、凹所５ｃの左右の幅寸法は、前記第１水切器６に形成された一方の凹溝５ａの外側の縁と、他方の凹溝５ａの外側の縁との間の距離と等しくなっている。
また、第２水切器７の接合面７ａには２つの吸引用溝１２，１２が前後に離間して平行に形成されている。吸引用溝１２は嵌合部５の前記ワークＷが摺動する表面、すなわち前記凹所５ｃの底面と側壁面とに開口している。吸引用溝１２は左右（ワークＷの長手方向と直交する幅方向）に延在して形成されており、その両端部は第２水切器７の左右の接合面７ａ，７ａに位置している。
【００２３】
接合面７ａには、第２連通路１３，１３が形成されている。第２連通路１３は接合面７ａから所定深さまで形成された孔であり、その一端部（上端部）は第２水切器６の上面（接合面７ａ）に開口している。また、第２連通路１３は、吸引用溝１２より深く形成されており、この第２連通路１３に吸引用溝１２の端部が連通している。さらに、第２連通路１３は、第１水切器６の接合面６ａを第２水切器７の接合面６ａに接合した際に、第１水切器６の第１連通路１０と同軸となる位置に形成されている。
また、第１水切器６の左右の接合面６ａには、ボルト挿通孔１１ｂ，１１ｂが第２水切器７をその厚さ方向に貫通して形成されている。ボルト挿通孔１１ｂは、第１水切器６の接合面６ａを第２水切器７の接合面６ａに接合した際に、第１水切器６のボルト挿通孔１１ａと同軸となる位置に形成されている。
【００２４】
そして、上記のような構成の第１水切器６と第２水切器７とは、図３に示すように、それぞれの接合面６ａ，７ａを互いに当接するとともに、ボルト挿通孔１１ａ，１１ｂにボルト１５を挿通したうえでナット１６に螺合して締め付けることによって接合され、これによって、水切器２が構成される。
また、第１水切器６と第２水切器７とを接合した状態において、第１水切器６の２つの凹溝５ａ，５ａ、平坦面５ｂが、第２水切器７の凹所５ｃに対向して配置され、これによって、水切器２に断面形状が凹形の嵌合部５が形成され、この嵌合部５の一方の開口部と他方の開口部とがそれぞれ水切器２の一方の側面と他方に側面に開口している。
【００２５】
さらに、水切器２には、嵌合部５のワークＷが摺動する表面に開口する前記吸引用溝８，１２がワークＷの長手方向と直交する幅方向に延在して形成されている。
また、第１水切器６と第２水切器７とを接合した状態において、第１連通路１０と第２連通路１３とが接合面６ａ，７ａで同軸になるように接合されて、連通路１７を構成している。これによって、水切器２には、前記吸引用溝８，１２に連通する連通路１７が形成されており、この連通路１７は水切器２の上面（表面）に開口している。
そして、この開口部１７ａにバキュームホース３が接続されている。バキュームホース３の先端部にはプラグ３ａが取り付けられており、このプラグ３ａを開口部１７ａに挿入することによって、開口部１７ａにバキュームホース３が接続されている。
【００２６】
上記のような水切装置１は、図４に示すような、押出成形装置２０に配置される。
押出形成装置２０は、押出成形機２１と、この押出成形機２１に取り付けられた金型２２と、この金型２２から押出されるワークＷを冷却する冷却水槽２３と、この冷却水槽２３内に設けられて、ワークＷの断面形状を整えるサイザー２４と、押出成形機２１から押出されてきたワークＷを引き取る引取機２５と、この引取機２５によって引き取られたワークＷを所定の長さ寸法に切断する切断機２６とを備えている。
【００２７】
冷却水槽２３内には冷却水が充填されており、金型２２から押出されるワークＷは冷却水中に入って、この冷却水中でサイザー２４によって断面形状や寸法が整えられる。
引取機２５は上下に対向した無端状のベルト２５ａ，２５ａを有しており、これらベルト２５ａ，２５ａにワークＷが挟まれたうえで、ベルト２５ａ，２５ａが回転することによって、ワークＷが引き取られる。
【００２８】
前記冷却水槽２３を形成する壁には、前記ワークＷを冷却水槽２３内に搬入する入口２３ａと、搬出する出口２３ｂとが対向して形成されている。
また、冷却水槽内２３には、図５に示すように、前記水切器２が出口２３ｂを形成する壁２３ｃに密着し、かつ前記嵌合部５の一方（出口側）の開口部が出口２３ｂに配置されて設けられている。
すなわち、図６に示すように、冷却水槽２３の壁２３ｃには矩形の出口２３ｂが形成されている。この出口２３ｂの断面（正面）形状は、水切器２の凸部４の断面（正面）形状とほぼ等しくなっている。そして、この出口２３ｂに水切器２の凸部４を嵌め込むことによって、水切器２が壁２３ｃに固定されている。この状態において、水切器２は壁２３ｃに図示しないパッキン等を介して水密に密着しており、また、嵌合部５の出口側の開口部は、前記凸部４に開口しているので、この凸部４を出口２３ｂに嵌め込むことによって、嵌合部５の一方（出口側）の開口部が出口２３ｂに配置されている。
また、水切器２は冷却水中に水没した状態で配置されている。したがって、水切器２は水圧によって壁２３ｃに押し付けられ、これによっても壁２３ｃに密着している。
なお、冷却水槽２３の底に支持台を設置し、この支持台によって水切器２を下方から支持するようにしてもよい。
また、４本のバキュームホース３は、水面から延出されて、図示しないバキュームポンプに接続されている。
【００２９】
そして、このような水切装置１を備えた水切装置付き押出成形装置２０では、押出成形機２１から押出されたワークＷは、冷却水槽２３の入口２３ａから入って出口２３ｂに向けて移動していき、さらに、水切器２の嵌合部５の入口側の開口部から嵌合部５に入って、この嵌合部５に摺動しながら嵌合して出口側の開口部から出でいく。
この際に、バキュームホース３によって吸引すると、嵌合部５はワークＷの断面形状に摺動可能に嵌合しており、嵌合部５のワーＷクが摺動する表面に吸引用溝８，１２が開口しているので、ワークＷの表面に付着している水は、吸引用溝８，１２から吸引され、さらに連通路１７を通ってバキュームホース３によって外部に排出される。したがって、断面形状が長手方向に亙って等しい長尺なワークＷの表面に付着している水を容易かつ確実に除去できる。
【００３０】
また、吸引用溝８，１２がワークＷの長手方向と直交する幅方向に延在して形成されているので、嵌合部５を摺動するワークＷの表面はすべて吸引用溝８，１２上を通るので、ワークＷの表面に付着している水をより確実に吸引して除去できる。
さらに、水切器２が、嵌合部５の一部が接合面６ａに形成された第１水切器６と、嵌合部５の他部が接合面７ａに形成された第２水切器７とで構成されているので、嵌合部５を水切器２に容易に形成できるとともに、嵌合部５や吸引用溝８，１２に汚れや異物が付着した場合に、第１水切器６から第２水切器７を取り外すことによって、前記汚れや異物を容易に掃除して除去できる。また、嵌合部５の一部と他部のそれぞれに吸引用溝８，１２が形成されているので、嵌合部５を摺動するワークＷの表面に付着している水を両吸引用溝８，１２によって確実に吸引して除去できる。
また、第１水切器６に形成された第１連通路１０と、第２水切器７に形成された第２連通路１３とが第１水切器６と第２水切器７の接合面６ａ，７ａで接続されており、第１連通路１０が、水切器２の上面（表面）に開口しているので、この開口部１７ａに接続されたバキュームホース３で吸引することによって、第１連通路１０と第２連通路１３にそれぞれ連通している吸引用溝８，１２によってワークＷの表面の水を吸引して除去できる。
【００３１】
なお、本実施の形態では、本発明に係る水切装置１を押出成形装置２０に設けた場合を例にとって説明したが、本発明に係る水切装置１は、断面形状が長手方向に亙って等しい長尺なワークの表面に付着している水を除去する場合に適用できる。
この場合、ワークをその長手方向にスライドさせつつ、水切器２でワークＷの表面の水を除去してもよいし、水切器２をワークの長手方向にスライドさせながら、ワークＷの表面の水を除去してもよい。
また、ワークの断面形状としては、本実施の形態における凹形に限らず、あらゆる断面形状のワークに適用できる。この場合、水切器２の嵌合部５の断面形状をワークの断面形状に摺動可能に嵌合する形状とすればよい。
【図面の簡単な説明】
【００３２】
【図１】本発明に係る水切装置の一例を示すもので、水切器を示す斜視図である。
【図２】同、分解斜視図である。
【図３】同、断面図であり、（ａ）は吸引用溝を含む位置における断面図、（ｂ）は吸引用溝を含まない位置における断面図である。
【図４】本発明に係る水切装置付き押出成形装置を示すもので、その概略構成図である。
【図５】同、冷却水槽内に水切器を配置した状態を示す要部の斜視図である。
【図６】同、冷却水槽の正面図である。
【符号の説明】
【００３３】
１  水切装置
２  水切器
３  バキュームホース
５  嵌合部
６  第１水切器
６ａ  接合面
７  第２水切器
７ａ  接合面
８，１２  吸引用溝
１０  第１連通路
１３  第２連通路
１７  連通路
２０  押出成形装置
２３  冷却水槽
２３ａ  入口
２３ｂ  出口
【図１】
2010046933.tif 000003
【図２】
2010046933.tif 000004
【図３】
2010046933.tif 000005
【図４】
2010046933.tif 000006
【図５】
2010046933.tif 000007
【図６】
2010046933.tif 000008